(57)【特許請求の範囲】
【請求項１】
鉄塔組立作業において使用する資材（Ｍ）にボルト（Ｂ）を仮止めするときに用いるための弾力性を有する線素材を曲折したボルト仮止め用補助具（１）であって、
前記ボルト（Ｂ）のねじ部（Ｂ１）を挟むため、線素材を曲折して形成した湾曲部（２）および該湾曲部（２）を弛緩自在に向かい合わせに連結するヒンジ部（３）からなる挟持部（４）と、
各湾曲部（２）の端部に連続して形成した抜け止め部（５）と、
更に、前記挟持部（４）と抜け止め部（５）とで形成される平面に略直角になるように、抜け止め部（５）から連続して線素材を曲折形成した、資材（Ｍ）の一部に当てる押さえ部（６）と、から成る、ことを特徴とするボルト仮止め用補助具。
【請求項２】
前記押さえ部（６）は、前記抜け止め部（５）から連続して線素材を前記ヒンジ部（３）側に折り返し、更に略Ｕ字形状に曲折したものである、ことを特徴とする請求項１のボルト仮止め用補助具。
【請求項３】
前記押さえ部（６）の先端を曲折した、ことを特徴とする請求項２のボルト仮止め用補助具。
【請求項４】
前記挟持部（４）の湾曲部（２）は、前記ボルト（Ｂ）のねじ部（Ｂ１）に密着しやすいように、その横断面を略三角形状に形成した、ことを特徴とする請求項１のボルト仮止め用補助具。
【請求項５】
前記挟持部（４）の湾曲部（２）は、前記ボルト（Ｂ）のねじ部（Ｂ１）に密着しやすいように、その横断面を楕円形状に形成した、ことを特徴とする請求項１のボルト仮止め用補助具。
【発明の詳細な説明】
【技術分野】
【０００１】
本発明は、送電線工事において使用する資材に用いるボルトを仮止めする補助具に係り、特に鉄塔組立作業の際に使用する資材を高所に上げ下げする際に、この資材に仮止めしたボルトが外れて落下することを防止するボルト仮止め用補助具に関する。
【背景技術】
【０００２】
従来から、鉄塔組立作業において使用する資材を高所に上げ下げする際に、これらの資材のボルト挿通孔にボルトを通し、このボルトにナットを仮止めしてボルト・ナットが落下しないように作業していた。
【０００３】
または、これらの資材のみを高所に上げ下げし、ボルト・ナットは別に工具袋に入れて上げ下げしていた。高所において、この資材のボルト挿通孔にボルトを通して締め付けていた。
【発明の開示】
【発明が解決しようとする課題】
【０００４】
しかし、鉄塔組立作業において資材を取り付ける際には、この資材に装着されているボルト・ナットを一旦取り外す必要があり、その作業に手間取るという問題を有していた。また、ナットを取り外す際にボルト・ナットが落下しやすいという問題を有していた。
【０００５】
このボルトが抜けることを防止する技術は種々提案されている。例えば、特許文献１の特開２００５−３４４７７２号公報「緩み止め付ねじ」に示すように、ボルトの軸部のねじ部分の一部に、板ばね型の突起部を設けるとともに、ナットに前記ボルトヘ組込んだ際に前記突起部が係止される凹部を設けた緩み止め付ねじにおいて、前記ボルトの軸部の軸心と平行な方向にピンを挿入するための穴を設け、前記穴にピンを挿入することにより、前記突起部が前記凹部から解除され、前記穴からピンを除去することにより、前記突起部が前記凹部に係止されるよう構成した緩み止め付ねじが提案されている。
【特許文献１】特開２００５−３４４７７２号公報
【０００６】
また、特許文献２の特開平７−１９２３０号公報「ボルト・ナットの弛み止め方法」に示すように、ボルトと、該ボルトの軸方向と直交する方向に少なくとも１個の透孔が設けられたナットとが螺合した状態において、前記透孔を介して打撃杆の先端で前記ボルトのねじ山を打撃することによって、ボルトのねじ山に塑性変形を起こし、ナットの弛み止めを行うボルト・ナットの弛み止め方法が提案されている。
【特許文献２】特開平７−１９２３０号公報
【０００７】
しかし、特許文献１「緩み止め付ねじ」と特許文献２の「ボルト・ナットの弛み止め方法」は共に、締結したボルト・ナットが緩くなることを防止するものであり、仮止めに用いるものではなかった。
【０００８】
更に、軸に転がり軸受を嵌め、その内輪が外れないようにする、いわゆる「止め輪」、「ストップリング」と称される部品も古くから用いられている。この止め輪は、軸の円周方向に形成した溝に容易に嵌めることができるが、取り外すときは専門の治具が必要があった。この止め輪も、部品の一部になるものであり、ボルトの仮止めに用いることはできなかった。
【０００９】
本発明は、かかる問題点を解決するために創案されたものである。すなわち、本発明の目的は、ばね性を有する軽量かつ簡単な構造のものを用いることで、鉄塔組立作業において使用する資材に挿通したボルトへ迅速に装着でき、かつそのボルトから抜けにくくすると共に、作業が終えたら容易に取り外すことができるボルト仮止め用補助具を提供することにある。
【課題を解決するための手段】
【００１０】
本発明は、鉄塔組立作業において使用する資材（Ｍ）にボルト（Ｂ）を仮止めするときに用いるための弾力性を有する線素材を曲折したボルト仮止め用補助具（１）であって、前記ボルト（Ｂ）のねじ部（Ｂ１）を挟むため、線素材を曲折して形成した湾曲部（２）および該湾曲部（２）を弛緩自在に向かい合わせに連結するヒンジ部（３）からなる挟持部（４）と、各湾曲部（２）の端部に連続して形成した抜け止め部（５）と、更に、前記挟持部（４）と抜け止め部（５）とで形成される平面に略直角になるように、抜け止め部（５）から連続して線素材を曲折形成した、資材（Ｍ）の一部に当てる押さえ部（６）と、から成る、ことを特徴とする。
例えば、前記押さえ部（６）は、前記抜け止め部（５）から連続して線素材を前記ヒンジ部（３）側に折り返し、更に略Ｕ字形状に曲折したものである。
前記押さえ部（６）の先端を曲折することが好ましい。
【００１１】
前記挟持部（４）の湾曲部（２）は、前記ボルト（Ｂ）のねじ部（Ｂ１）に密着しやすいように、その横断面を略三角形状に形成する。
前記挟持部（４）の湾曲部（２）は、前記ボルト（Ｂ）のねじ部（Ｂ１）に密着しやすいように、その横断面を楕円形状に形成する。
【発明の効果】
【００１２】
上記構成では、資材（Ｍ）を高所に上げ下げする際に、この資材（Ｍ）のボルト用挿通孔（Ｈ）にボルト（Ｂ）を通し、このボルト（Ｂ）のねじ部（Ｂ１）に、本発明のボルト仮止め用補助具（１）の抜け止め部（５）間から挟み込む。このボルト仮止め用補助具（１）は、挟持部（４）の両湾曲部（２）がボルト（Ｂ）のねじ部（Ｂ１）に密着し、締付状態になる。このようにボルト（Ｂ）は資材（Ｍ）に仮止めされ、この資材（Ｍ）を上げ下げしてもボルト（Ｂ）が落下しない。
【００１３】
特に、ボルト仮止め用補助具（１）は、弾力性を有する線素材を曲折して形成したものであるために、簡単にボルト（Ｂ）のねじ部（Ｂ１）に挟み込むことができる。その後容易に取り外すこともできる。ボルト仮止め用補助具（１）は、その構造が簡単で軽量であるため運搬や取り付けが容易である。誤って落下して人体に接触した場合でも、従来のナットと異なり人身災害には繋がりにくい。
【００１４】
また、押さえ部（６）は、抜け止め部（５）から連続して線素材を曲折形成したので、資材（Ｍ）の一部に当たり、その接触抵抗によりボルト（Ｂ）からボルト仮止め用補助具（１）が抜けづらくなる。
【００１５】
挟持部（４）の湾曲部（２）の横断面が、略三角形状又は楕円形状に形成したものは、ボルト（Ｂ）のねじ部（Ｂ１）に密着しやすい。そこで、ボルト（Ｂ）のねじ部（Ｂ１）と挟持部（４）の湾曲部（２）との摩擦抵抗が高くなり、ボルト（Ｂ）のねじ部（Ｂ１）からボルト仮止め用補助具（１）が外れづらくなる。
【発明を実施するための最良の形態】
【００１６】
本発明のボルト仮止め用補助具は、鉄塔組立作業において使用する資材にボルトを仮止めするときに使用し、弾力性を有する線素材を曲折したボルト仮止め用補助具であり、資材のボルト用挿通孔に通したボルトのねじ部に、抜け止め部の間からボルトのねじ部に挟み込み、この挟持部がボルトのねじ部に密着する締付状態になるように構成した補助具である。
【実施例１】
【００１７】
以下、本発明の好ましい実施の形態を図面を参照して説明する。
図１は実施例１のボルト仮止め用補助具を示し、（ａ）は平面図、（ｂ）は側面図、（ｃ）は正面図である。
本発明のボルト仮止め用補助具１は、鉄塔組立作業において使用する形鋼、金具、その他の部材である資材にボルトＢを仮止めするときに用いるもので、弾力性を有する線素材を曲折したものである。このボルト仮止め用補助具１は、この線素材を弓状に曲折した湾曲部２を弛緩自在に向かい合わせにヒンジ部３で連結した挟持部４と、各湾曲部２の端部に連続して形成した抜け止め部５と、一方の抜け止め部５に連続形成した押さえ部６とから成る補助具である。
【００１８】
本発明の線素材には例えば直径が１．５ｍｍ程度のステンレス線材を用いる。この線素材の外径はこの１．５ｍｍに限定されない。例えば、太いボルトＢに用いるときは、これより太い線材を用いることができる。即ち、ねじ部Ｂ１のピッチ間隔に合わせる必要がある。また線素材はステンレス線材に限定されず、他の金属又はプラスチックを用いることも可能である。
【００１９】
本発明のボルト仮止め用補助具１は、簡単な形状の軽量構造にし、その運搬や取り付けを容易にするために、これらの湾曲部２、ヒンジ部３、抜け止め部５及び押さえ部６は１本の線素材を曲折して形成したものである。また、１本の線素材を曲折して形成したものであるために、作業中に誤って落下させて人体に接触しても、従来のボルトとナットが落下したものに比較して安全性が非常に高い。
【００２０】
挟持部４は、図１（ａ）に示すように、ボルトＢのねじ部Ｂ１の長手方向に直交して挟むように、線素材を弓状に曲折した湾曲部２を弛緩自在に向かい合わせにヒンジ部３で連結したものである。この湾曲部２同士の間隔Ｌ１は、図１（ａ）に示すように、その一番長い位置で、ボルトＢのねじ部Ｂ１の外径より短くする。但し、本発明のボルト仮止め用補助具１は弾力性を有する線素材を曲折した構造により、ボルトＢのねじ部Ｂ１の外径が長いものについても挟むことができる。
【００２１】
抜け止め部５は、挟持部４の両湾曲部２で挟んだボルトＢのねじ部Ｂ１から本発明のボルト仮止め用補助具１が抜けないように、各湾曲部２の端部から連続して中心方向へ曲折形成した部分である。この抜け止め部５の先端は、ボルトＢのねじ部Ｂ１を挟み込みやすいように拡開するように形成した。
【００２２】
押さえ部６は、図１（ｃ）に示すように、挟持部４と抜け止め部５とで形成される平面に対して略直角になるように、一方の抜け止め部５から連続して線素材を、ヒンジ部３側に折り返し、更に略Ｕ字形状に曲折形成した部分である。
【００２３】
図２は実施例１のボルト仮止め用補助具を等辺山形鋼の資材に用いた状態を示すものであり、（ａ）は正面図、（ｂ）は側面図である。
ボルト仮止め用補助具１の押さえ部６は、例えば等辺山形鋼の資材Ｍ内面にその一部を当てることにより抜けにくくする部分である。この押さえ部６は、図２（ａ）に示すように、必ずしも挟持部４と抜け止め部５とで形成される平面に対して略直角になるように曲折形成する必要はない。本発明のボルト仮止め用補助具１の挟持部４がボルトＢを挟み、更にこのボルト仮止め用補助具１が抜けづらくなるように、資材Ｍに一部に接触する構成であれば充分である。そこで、押さえ部６を、挟持部４と抜け止め部５とで形成される面に対して９０度より大きい角度に曲折したものでもよい。
【００２４】
図３は実施例１のボルト仮止め用補助具をボルトに装着する状態を示す平面図であり、（ａ）はボルトに挟む前の状態、（ｂ）は挟持部の湾曲部が開いている状態、（ｃ）は仮止めが完了した状態である。
本発明のボルト仮止め用補助具１をボルトＢに装着するときは、先ず図３（ａ）に示すように、資材Ｍのボルト用挿通孔Ｈに通したボルトＢのねじ部Ｂ１に、ボルト仮止め用補助具１の抜け止め部５の拡開部から挟み込む。このときは、ねじ部Ｂ１のボルトＢの頭部Ｂ２近くに挟み込むことが好ましい（図２（ａ）、（ｂ）参照）。資材Ｍを上げ下げしているときのボルトＢを揺れづらくするためである。
【００２５】
図３（ｂ）に示すように、ボルト仮止め用補助具１は全体が弾力性を有する金属等の線素材を曲折して形成したものであるために、ヒンジ部３が曲がり、挟持部４の両湾曲部２が拡がり、抜け止め部５間にボルトＢのねじ部Ｂ１を容易に通過させることができる。このときは、挟持部４の両湾曲部２を、ねじ部Ｂ１のねじの谷を通過させ、ボルト仮止め用補助具１が抜けないようにする。
【００２６】
最後に、図３（ｃ）に示すように、ボルト仮止め用補助具１は、挟持部４の両湾曲部２がボルトＢのねじ部Ｂ１に密着し、締付状態になる。このように資材ＭにボルトＢを仮止めし、この資材Ｍを上げ下げしてもボルトＢが落下しない。
【００２７】
逆に、ボルトＢのねじ部Ｂ１からボルト仮止め用補助具１を取り外すときは、ヒンジ部３を持って引き抜くか、抜け止め部５の拡開部をボルトＢに向けて押し込めば、容易に取り外すことができる。
【実施例２】
【００２８】
図４は実施例２の挟持部の湾曲部の部分横断面図である。図５は実施例２の挟持部の湾曲部を拡大した拡大横断面図である。
実施例２のボルト仮止め用補助具１では、挟持部４の湾曲部２の横断面が略三角形状になるように形成した。ボルト仮止め用補助具１は、挟持部４の湾曲部２は、その横断面形状が円形する必要はない。これは挟持部４の湾曲部２を、ボルトＢのねじ部Ｂ１に密着させ、ボルトＢのねじ部Ｂ１のねじ谷に挟持部４の湾曲部２が噛み合い、その摩擦抵抗を高めることができ、ボルト仮止め用補助具１が外れにくくなる。
【実施例３】
【００２９】
図６は実施例３のボルト仮止め用補助具を示す挟持部の湾曲部の拡大横断面図である。
実施例３のボルト仮止め用補助具１では、挟持部４の湾曲部２の横断面が楕円形状になるように形成した。この楕円形状の湾曲部２でも、ボルトＢのねじ部Ｂ１のねじ谷と、挟持部４の湾曲部２との摩擦抵抗を高めることができる。
なお、ボルトＢのねじ部Ｂ１に密着しやすくするために、挟持部４の湾曲部２の横断面形状は、図示した略三角形状又は楕円形状に限定されず、扁平形状、その他の形状にすることができる。
【００３０】
図７は本発明のボルト仮止め用補助具を部材と部材とを連携させる部材として使用している状態を示す斜視図である。
本発明のボルト仮止め用補助具１は、上述したように、必ずしも鉄塔組立作業において使用する資材ＭにボルトＢを仮止めするときのみに限定されない。例えば、金網等の外柵Ｆに標識Ｓを取り付ける際に、本来であればボルトとナットで、２人で外柵Ｆの外側と内側から向き合って取り付けていた。本発明のボルト仮止め用補助具１では、これを標識Ｓのボルト挿通孔にボルトＢを通し、外柵Ｆの表側から網目に手を入れ、ボルト仮止め用補助具１を入れて、このボルトＢに取り付ける。このボルト仮止め用補助具１の押さえ部６の略Ｕ字部分で金網等の外柵Ｆと標識Ｓとを挟むように引っ掛ければ仮止めを一人で完了させることができる。因みに、外柵Ｆの表側から本来のようにボルト・ナット締めをするために、外柵Ｆの表側から網目に手を入れ、ワッシャー、ナットを入れて締め付けることは困難であった。
【００３１】
本発明のボルト仮止め用補助具１は、金具を鉄塔に取り付ける際にも利用することができる。例えば、ボルト仮止め用補助具１の挟持部４で金具と鉄塔の鉄材間を挟むときにも利用することができる。
【００３２】
更に、２個以上の本発明のボルト仮止め用補助具１を、鉄塔又は金具に複数箇所に取り付け、それぞれのヒンジ部３の曲折部分を利用して、テグス（釣り糸）を張りめぐらせて鳥害防止具としても利用することができる。
【００３３】
なお、本発明は、ばね性を有する軽量かつ簡単な構造の線素材を曲折したものを用いることで、鉄塔組立作業において使用する資材Ｍに挿通したボルトＢへ迅速に装着でき、かつそのボルトＢから抜けにくくすると共に、作業が終えたら容易に取り外すことができるものであれば、上述した発明の実施の形態に限定されず、本発明の要旨を逸脱しない範囲で種々変更できることは勿論である。
【産業上の利用可能性】
【００３４】
本発明のボルト仮止め用補助具は、鉄塔組立作業において使用する資材に使用するボルトを仮止めする際に利用することができ、更に金具、部材同士の仮止め等に利用することができる。
【図面の簡単な説明】
【００３５】
【図１】実施例１のボルト仮止め用補助具を示し、（ａ）は平面図、（ｂ）は側面図、（ｃ）は正面図である。
【図２】実施例１のボルト仮止め用補助具を等辺山形鋼の資材に用いた状態を示すものであり、（ａ）は正面図、（ｂ）は側面図である。
【図３】実施例１のボルト仮止め用補助具をボルトに装着する状態を示す平面図であり、（ａ）はボルトに挟む前の状態、（ｂ）は挟持部の湾曲部が開いている状態、（ｃ）は仮止めが完了した状態である。
【図４】実施例２の挟持部の湾曲部の部分横断面図である。
【図５】実施例２の挟持部の湾曲部を拡大した拡大横断面図である。
【図６】実施例３の挟持部の湾曲部の拡大横断面図である。
【図７】本発明のボルト仮止め用補助具を部材と部材とを連携させる部材として使用している状態を示す斜視図である。
【符号の説明】
【００３６】
１ ボルト仮止め用補助具
２ 湾曲部
３ ヒンジ部
４ 挟持部
５ 抜け止め部
６ 押さえ部
Ｍ 資材
Ｈ ボルト用挿通孔
Ｂ ボルト
Ｂ１ ねじ部
【図２】
0004954118.tif 000002
【図３】
0004954118.tif 000003
【図４】
0004954118.tif 000004
【図５】
0004954118.tif 000005
【図６】
0004954118.tif 000006
【図７】
0004954118.tif 000007
【図１】
0004954118.tif 000008